(57)【要約】【課題】組み付け作業を簡単に行うことができ製造効率を向上させた安価な操作ボタンを備えた映像表示装置及び操作ボタンを備えた映像表示装置の組み付け方法を提供する。【解決手段】テレビジョン受像機１の薄型化された筐体２の貫通孔３から外部に突出して配設される複数のボタン部１１を設け、これらを単独の部材である操作ボタン１０に一体に設けると共に、スイッチ３１を配設した回路基板３０を組み付けることにより、複数のボタン部１１を１つずつネジ止めなどによって固定することなく一括して固定することができる。さらにスイッチ３１を設けた回路基板３０と、複数のボタン部１１を設けた操作ボタン１０とは複数のボタン部１１などの部品をユニット化しているので、これらを相互に組み付けることにより、組み立てを簡単に行うことができる。【選択図】図３
2007114566.tif 000002
【特許請求の範囲】
【請求項１】
映像を表示する映像表示装置の外観を担う奥行き寸法が比較的小さい薄型化された筐体に複数の貫通孔を形成し、これら複数の貫通孔から前記筐体の外部に突出して配設される複数の操作部が設けられた映像表示装置において、前記複数の操作部を単独の部材である操作ボタンに一体に設け、この操作ボタンにスイッチを配設した回路基板を組み付けたことを特徴とする操作ボタンを備えた映像表示装置。
【請求項２】
前記複数の操作部を設けた操作ボタンは樹脂製であり、一体に成形したものであることを特徴とする請求項１記載の操作ボタンを備えた映像表示装置。
【請求項３】
前記操作部を押圧操作した際、この操作に連動して前記スイッチのオン／オフ操作が可能な位置に前記スイッチを配設したことを特徴とする請求項１又は２に記載の操作ボタンを備えた映像表示装置。
【請求項４】
前記操作ボタンに折り曲げ可能なヒンジ部を有し、このヒンジ部を支点として操作部が可動する構成であることを特徴とする請求項３に記載の操作ボタンを備えた映像表示装置。
【請求項５】
前記筐体に映像を表示する液晶パネルを組み付けたことを特徴とする請求項１〜４の何れか１項に記載の操作ボタンを備えた映像表示装置。
【請求項６】
映像を表示する映像表示装置の外観を担う複数のキャビネットからなる筐体に複数の貫通孔を形成し、これら複数の貫通孔から前記筐体の外部に突出して配設される複数の操作部が設けられた映像表示装置の組み立て方法において、前記複数のキャビネットの何れか１つに前記複数の操作部を一体に設けた操作ボタンを取り付け、この操作ボタンに前記操作部の操作に連動するスイッチを設けた回路基板を組み付けた後、前記複数のキャビネットを相互に一体的に組み付けて筐体を構成することを特徴とする操作ボタンを備えた映像表示装置の組み立て方法。
【発明の詳細な説明】
【技術分野】
【０００１】
本発明は、種々の操作を行う操作ボタンを備えた映像表示装置に関し、より詳しくは、映像表示装置の外観を担う筐体から外側に突出した操作部を有する操作ボタンを備えた映像表示装置及びその組み立て方法に関する。
【背景技術】
【０００２】
近年、液晶テレビやプラズマディスプレイ装置などの奥行き寸法の比較的小さい薄型な映像表示装置においては、チャンネルの切り替えや音量の調整等を可能とする操作ボタンの操作部が、映像表示装置の筐体の上面、側面、或いは下面に設けた構造のものが提案されている。こうした薄型な映像表示装置の各面（上面、側面、下面）のスペースは小さく限られており、外観を担う映像表示装置の筐体を、例えば、正面側のフロントキャビネットと背面側のバックキャビネットとの２分割構成とした場合、フロントキャビネット若しくはバックキャビネットのスペースの限られた部分の何れかの操作がし易い位置に操作部を外側に突出させた状態で配置する必要がある。
【０００３】
従来技術となりうる一般的な薄型な液晶映像表示装置における操作ボタンの取り付け構造の一例について説明すると、一般的にバックキャビネットの上面には操作ボタンの複数の操作部を外側に突出するための貫通孔を、操作部の数に対応して複数形成し、これら操作部を貫通孔の形成されている筐体の内側から突出した状態で組み付けるために、操作部が、貫通孔のそれぞれに挿通されると共に、各操作部のそれぞれをねじ止めによって固定する構造のものが用いられている。
【０００４】
図１１は液晶映像表示装置の従来例を示す断面図である。同図に示す液晶映像表示装置１００においては、奥行き寸法の薄型化が図られていることで、筐体１０１内部の設置スペースが限られており、この限られたスペース内に映像を表示する表示パネル１０２をはじめとする各種回路基板やスピーカーなどの種々の部品を配置しなければならず、しかも、筐体１０１内に操作ボタン１０３を取り付けるとすれば、操作ボタン１０３の操作部１０４を筐体１０１に形成した貫通孔１０５から突出するように配置する必要があるため、操作ボタン１０３の配置は、筐体１０１の上面、側面、或いは下面に限定されてしまう。そこで、図１１（ａ）に示すように、外観を担うフロントキャビネット１０６とバックキャビネット１０７との組み立て前に、バックキャビネット１０７の上面に形成した貫通孔１０５から、操作部１０４を突出するように、操作ボタン１０３をバックキャビネット１０７に螺子により締結固定し、フロントキャビネット１０６には映像を表示する表示パネル１０２やスイッチ１０８を配設した回路基板１０９を固定した後、図１１（ｂ）に示すように、操作ボタン１０３を取り付けたバックキャビネット１０７と回路基板１０９を取り付けたフロントキャビネット１０６とを一体的に組み付ける方法が採られていた。
【０００５】
また、特許文献１には、パネルの前面から突出した複数の押釦の離脱による組み立て作業性の煩雑さを解消するため、複数の押釦を連結する連結体を間隙内に差し込んでパネルから離脱しないよう取り付けた電子機器の操作装置が開示されており、特許文献２には、筐体の内側に突設したピンとリブに複数の押しボタンを連結した押しボタン連を取り付け、この押しボタン連に設けたスイッチ押圧部に対応する位置に、プリント板に配置した複数のスイッチを固定した押しボタン連の取付構造が開示されている。
【０００６】
【特許文献１】特開２００１−５３４７２号公報
【特許文献２】特開２０００−２９９５６７号公報
【発明の開示】
【発明が解決しようとする課題】
【０００７】
しかし、図１１に示す液晶映像表示装置においては、フロントキャビネットにスイッチを配設した回路基板を取り付け、バックキャビネットの上面にスイッチを押圧する操作部を有する操作ボタンを取り付けているため、回路基板と操作ボタンとをそれぞれ別の部材（フロントキャビネットとバックキャビネット）に取り付けているため、フロントキャビネットとバックキャビネットとを組み付けた状態における操作部とスイッチとの間隔及び位置は、取り付けた部材の寸法公差によって変動することから、あるときは操作部とスイッチとの距離が大きく離れて押せなかったり、またあるときは操作部とスイッチとが当接して押せなかったりする虞があり、その結果、操作部の操作ができるようになるまで液晶映像表示装置の分解と組み立てを繰り返すことで位置調整をしなければならず、組み立てが煩雑な作業となってしまう。また、フロントキャビネットにスイッチを配設した回路基板を取り付け、バックキャビネットに操作ボタンを取り付けるため、それぞれのキャビネットに取り付けるための固定用の螺子と固定するためのボスなどが必要となり、螺子などの部品点数の増加やキャビネットにボスを形成するとなるとその形状が複雑になってしまい、製造コストを安価に抑えることができない。
【０００８】
本発明は、上記課題に鑑みてなされたものであり、組み付け作業を簡単に行うことができ、部材の寸法公差に伴う動作不良を回避することができ、製造効率を向上することで低コスト化を図った操作ボタンを備えた映像表示装置及び操作ボタンを備えた映像表示装置の組み付け方法を提供することを目的とする。
【課題を解決するための手段】
【０００９】
本発明の請求項１の操作ボタンを備えた映像表示装置は、映像を表示する映像表示装置の外観を担う奥行き寸法が比較的小さい薄型化された筐体に複数の貫通孔を形成し、これら複数の貫通孔から前記筐体の外部に突出して配設される複数の操作部が設けられた映像表示装置において、前記複数の操作部を単独の部材である操作ボタンに一体に設け、この操作ボタンにスイッチを配設した回路基板を組み付けたことを特徴とする。
【００１０】
請求項１の構成により、薄型化された小スペースの映像表示装置において、単独の部材である操作ボタンに複数の操作部を一体に設けることで、従来のように、複数の操作部を１つずつネジ止めなどによって固定することなく一括して固定することができる。さらに、スイッチを設けた回路基板と、複数の操作部を設けた操作ボタンとは、それぞれに複数の部品がユニット化されているので、これらを相互に組み付けることにより、簡単に組み立てることができる。
【００１１】
本発明の請求項２の操作ボタンを備えた映像表示装置は、請求項１記載の操作ボタンを備えた映像表示装置において、前記複数の操作部を設けた操作ボタンは樹脂製であり、一体に成形したものであることを特徴とする。
【００１２】
請求項２の構成により、成形機などにより複数の操作部を操作ボタンに一体成形することで、筐体などに複数の操作部をまとめて固定することができる。
【００１３】
本発明の請求項３の操作ボタンを備えた映像表示装置は、請求項１又は２記載の操作ボタンを備えた映像表示装置において、前記操作部を押圧操作した際、この操作に連動して前記スイッチのオン／オフ操作が可能な位置に前記スイッチを配設したことを特徴とする。
【００１４】
請求項３の構成により、複数の操作部のそれぞれは、個々に固定されているわけではないので、操作部の押圧操作に連動する所定位置にスイッチを配設すれば、各操作部の位置関係は、ずれたりすることはない。
【００１５】
本発明の請求項４の操作ボタンを備えた映像表示装置は、請求項３に記載の操作ボタンを備えた映像表示装置において、前記操作ボタンに折り曲げ可能なヒンジ部を有し、このヒンジ部を支点として操作部が可動する構成であることを特徴とする。
【００１６】
請求項４の構成により、操作部を押圧操作するとヒンジ部が僅かに折れ曲がることで、操作部が可動されスイッチの操作が行われる。
【００１７】
本発明の請求項５の操作ボタンを備えた映像表示装置は、請求項１〜４の何れか１項に記載の操作ボタンを備えた映像表示装置において、前記筐体に映像を表示する液晶パネルを組み付けたことを特徴とする。
【００１８】
請求項５の構成により、液晶パネルを有する映像表示装置は、奥行き寸法が小さく薄型化された小スペースであるから、こうした映像表示装置に単独の部材である操作ボタンに複数の操作部を一体に設けることで、従来のように、複数の操作部を１つずつネジ止めなどによって固定することなく、複数の操作部を一括して固定することができ、さらに、スイッチを設けた回路基板と、複数の操作部を設けた操作ボタンとは、それぞれに複数の部品がユニット化されている。つまり、スイッチと回路基板、及び複数の操作部が少なくともユニットされており、これらのユニット化されたものを相互に組み付けることにより、簡単に組み立てることができる。
【００１９】
本発明の請求項６の操作ボタンを備えた映像表示装置の組み立て方法は、映像を表示する映像表示装置の外観を担う複数のキャビネットからなる筐体に複数の貫通孔を形成し、これら複数の貫通孔から前記筐体の外部に突出して配設される複数の操作部が設けられた映像表示装置の組み立て方法において、前記複数のキャビネットの何れか１つに前記複数の操作部を一体に設けた操作ボタンを取り付け、この操作ボタンに前記操作部の操作に連動するスイッチを設けた回路基板を組み付けた後、前記複数のキャビネットを相互に一体的に組み付けて筐体を構成することを特徴とする。
【００２０】
請求項６の操作ボタンを備えた映像表示装置の組み立て方法により、フロントキャビネットやバックキャビネットなどの複数のキャビネットの内の１つに、操作部とこの操作部の操作に連動するスイッチを取り付けた後に、複数のキャビネットを相互に組み付けるので、従来のように、スイッチと操作ボタンが、それぞれ別の部材（フロントキャビネットとバックキャビネット）に取り付けられていて、フロントキャビネットとバックキャビネットを相互に組み付けることで、操作部とスイッチとの間隔及び位置関係が変動することを抑えることができるので、操作部を操作することで連動するスイッチの動作不良を防止することが可能となる。
【発明の効果】
【００２１】
本発明の請求項１の操作ボタンを備えた映像表示装置によれば、映像を表示する映像表示装置の外観を担う奥行き寸法が比較的小さい薄型化された筐体に複数の貫通孔を形成し、これら複数の貫通孔から前記筐体の外部に突出して配設される複数の操作部が設けられた映像表示装置において、前記複数の操作部を単独の部材である操作ボタンに一体に設け、この操作ボタンにスイッチを配設した回路基板を組み付けたので、複数の操作部を一括して固定することができ、且つスイッチを設けた回路基板と、複数の操作部を設けた操作ボタンとは、それぞれに複数の部品がユニット化されていることから、これらを相互に組み付けることにより、組み立て作業効率を向上でき映像表示装置の生産性を高めることが可能となる。
【００２２】
本発明の請求項２の操作ボタンを備えた映像表示装置によれば、請求項１記載の操作ボタンを備えた映像表示装置において、前記複数の操作部を設けた操作ボタンは樹脂製であり、一体に成形したものであるので、操作ボタンに複数の操作部を一体成形することにより、複数の操作部を筐体などにまとめて固定することができるので、組み付け作業を短時間で行うことができる。
【００２３】
本発明の請求項３の操作ボタンを備えた映像表示装置によれば、請求項１又は２記載の操作ボタンを備えた映像表示装置において、前記操作部を押圧操作した際、この操作に連動して前記スイッチのオン／オフ操作が可能な位置に前記スイッチを配設したので、複数の操作部のそれぞれは、個々に固定されるわけではなく、操作部の押圧操作に連動する所定位置にスイッチを配設すれば、各操作部の位置関係は、ずれたりすることなく安定的に固定できる。
【００２４】
本発明の請求項４の操作ボタンを備えた映像表示装置によれば、請求項３記載の操作ボタンを備えた映像表示装置において、前記操作ボタンに折り曲げ可能なヒンジ部を有し、このヒンジ部を支点として操作部が可動する構成であるので、複雑なヒンジ機構を用いることなく、ヒンジ部の撓みを利用してスイッチのオン／オフ操作を行うことができるので、低コスト化を図ることができる。
【００２５】
本発明の請求項５の操作ボタンを備えた映像表示装置によれば、請求項１〜４の何れか１項に記載の操作ボタンを備えた映像表示装置において、前記筐体に映像を表示する液晶パネルを組み付けたので、液晶パネルを有する映像表示装置においては、奥行き寸法が小さく薄型化されて小スペースであるが、複数の操作部を一括して固定することができ、且つスイッチを設けた回路基板と、複数の操作部を設けた操作ボタンとは、それぞれに複数の部品がユニット化されていることから、これらを相互に組み付けることにより、組み立て作業効率を向上でき映像表示装置の生産性を高めることが可能となる。
【００２６】
本発明の請求項６の操作ボタンを備えた映像表示装置の組み付け方法によれば、映像を表示する映像表示装置の外観を担う複数のキャビネットからなる筐体に複数の貫通孔を形成し、これら複数の貫通孔から前記筐体の外部に突出して配設される複数の操作部が設けられた映像表示装置の組み立て方法において、前記複数のキャビネットの何れか１つに前記複数の操作部を一体に設けた操作ボタンを取り付け、この操作ボタンに前記操作部の操作に連動するスイッチを設けた回路基板を組み付けた後、前記複数のキャビネットを相互に一体的に組み付けて筐体を構成するので、操作部とスイッチとの位置関係を安定させた状態で位置決めすることが可能となり、スイッチの動作不良を防止し操作性を向上することができる。
【発明を実施するための最良の形態】
【００２７】
以下、本発明を実施するための最良の形態としての実施例を図１〜図１０により以下に説明する。もちろん、本発明は、その発明の趣旨に反しない範囲で、実施例において説明した以外の構成のものに対しても容易に適用可能なことは説明を要するまでもない。
【００２８】
図１は本実施例における映像表示装置を示す斜視図、図２はフロントキャビネットとバックキャビネットとを組み付けた状態を示す映像表示装置の断面図、図３は映像表示装置の要部拡大断面図、図４は操作ボタンを示す正面図、図５は操作ボタンを示す側面図、図６は操作ボタンを示す平面図、図７は図４におけるＡ−Ａ線断面図、図８は操作ボタンとスイッチを配設した回路基板とを組み付けこれらを筐体に取り付ける手順を示す説明図。図９は操作ボタンをフロントキャビネットに組み付けた状態を示す断面図、図１０は貫通孔に操作ボタンを挿通しフロントキャビネットとバックキャビネットを組み付ける状態を示す断面図である。
【００２９】
図１に示す電子機器たる映像表示装置は奥行き寸法の小さい薄型化された図示しない液晶パネルを有するテレビジョン受像機１であり、このテレビジョン受像機１の外観を担う樹脂製の筐体２は、フロントキャビネット２ａとバックキャビネット２ｂとの２分割構成となっており、バックキャビネット２ｂの上面には貫通孔３が形成され、この貫通孔３に後述する操作ボタンの操作部たるボタン部が挿通され、筐体２の上方外側に突出して配設される。
【００３０】
符号１０は、貫通孔３から筐体２の上部外側にボタン部１１が突出した状態で組み付けられた操作ボタンであり、操作ボタン１０に構成したボタン部１１を押圧して操作を行う、いわゆるプッシュ式の操作ボタン１０であり、図２に示す状態では、ボタン部１１の先端部１１ａを手などにより押圧することにより、その反対側の後端部１１ｂが回路基板３０に配設したスイッチ３１を押圧し、このスイッチ３１のオン／オフなどの操作を行うことができる。
【００３１】
操作ボタン１０についてさらに説明すると、この操作ボタン１０は、射出成形機などで一体成形され、その全体が樹脂製となっており、ベースとなる基部１２にスイッチ３１の押圧操作をするためのボタン部１１の設けられたボタン支持部１３と、操作ボタン１０をフロントキャビネット２ａにねじ止めするための円筒状のボス部１４及び回路基板３０を挟持して固定する基板ガイド部１５の設けられた基板支持部１６とがそれぞれ別部材ではなく一体に形成されている。
【００３２】
また、基板支持部１６と基部１２、及び、ボタン支持部１３と基部１２とは、それぞれ折り曲げ可能なヒンジ部１８により一体に設けられており、ヒンジ部１８の肉厚寸法は、ほぼ肉厚寸法の同じ基板支持部１６、ボタン支持部１３、及び基部１２の三者の肉厚に対して、その寸法よりも肉厚を小さくすることでヒンジ部１８を簡単に折り曲げできるように形成されている。
【００３３】
基部１２には複数の位置決め孔２０が設けられており、これらの位置決め孔２０に基板支持部１６に設けた凸部２１を、ヒンジ部１８を折り曲げて嵌合することで、図８に示すように、基部１２と基板支持部１６とは水平に重合した状態で、相互に位置決めできるように構成されている。なお、本実施例における前述した基板支持部１６は、図４及び図６に示すように、基部１２の長手方向の両端側に配設すると共に、これら２つの基板支持部１６の間に複数のボタン部１１を配設し、こうしたボタン部１１の数に対応してバックキャビネット２ｂに同じ数の貫通孔３が形成されている。
【００３４】
次に、筐体に対する操作ボタンの組み付け手順について説明する。先ず操作ボタン１０に設けた２つの基板支持部１６のそれぞれに有する凸部２１が基部１２の位置決め孔２０に嵌合するように、基板支持部１６と基部１２とを連結するヒンジ部１８を支点として屈曲させる。次に、図８（ａ）及び図８（ｂ）に示すように、基板支持部１６の基板ガイド部１５に、予めスイッチ３１を配設した回路基板３０の両端部を支持するようにして回路基板３０を基板ガイド部１５にスライドさせて取り付ける。そして、図８（ｃ）に示すように、回路基板３０と一体的に取り付けられた操作ボタン１０をフロントキャビネット２ａにねじ３５によって固定する。この場合、図８（ｄ）及び図９などに示すように、フロントキャビネット２ａに形成した円筒状のボス３６と操作ボタン１０のボス部１４とに有するねじ孔１４ａ，３６ａの位置を合わせ、これらにねじを螺合させ位置決めした状態で、フロントキャビネット２ａの所定位置に固定することが可能となっている。なお、操作ボタン１０と一体的に取り付けられた回路基板３０は、本実施例においては、ねじ３５の頭部を利用して容易に外れることがないように確実に固定することができる。そして、図９に示すように、フロントキャビネット２ａに操作ボタン１０とスイッチ３１を配設した回路基板３０とを組みつけた後、図１０に示すようにして、操作ボタン１０のボタン部１１をバックキャビネット２ｂに形成した貫通孔３に挿通させ、フロントキャビネット２ａに対してバックキャビネット２ｂを一体的に組み付ける。
【００３５】
以上のように本実施例における映像表示装置としてのテレビジョン受像機１では、予めスイッチ３１を配設した回路基板３０と操作ボタン１０とをユニット化したものを、フロントキャビネット２ａ或いはバックキャビネット２ｂの筐体２の何れかに取り付けることで、組み立て作業効率を向上することができる。また、複数備えたボタン部１１をいちいち１つずつネジ止め固定することを解消し、且つ固定するネジの本数を削減することでコストを安価に抑えることができる。
【００３６】
以上、本発明の実施例を詳述したが、本発明は前記実施例に限定されるものではなく、本発明の要旨の範囲内で種々の変形実施が可能である。回路基板３０の固定手段については前述した一例に限定するものではく、例えば、回路基板３０に貫通孔を形成し、この貫通孔に係合可能な係合部を基板支持部１６に形成して固定するなどの手段を適用してもよい。また、操作ボタン１０をねじにて固定する際に、基板支持部１６がヒンジ部１８により回動することがないよう規制する規制手段として、基板支持部１６の後方などに形成した凸部２１と嵌合される位置決め孔２０を各２箇所ずつ形成することが望ましい。なお、筐体２の上面に操作ボタン１０のボタン部１１を配設している構造は、一例であってこれに限定するものではなく、筐体２の側面や下面に貫通孔３を形成し、これらにボタン部１１を配設してもよい。さらに、筐体２の上面に電源のオン／オフを行うボタン部１１を配設すると共に、筐体２の側面にチャンネル切り替え用のボタン部１１や音量調整用のボタン部１１などを配設するなどの、筐体の異なる複数の面に対してボタン部１１を配設しても、上述した効果を奏することは可能である。
【図面の簡単な説明】
【００３７】
【図１】本発明の一実施例の映像表示装置を示す斜視図である。
【図２】同上、フロントキャビネットとバックキャビネットとを組み付けた状態を示す映像表示装置の断面図である。
【図３】同上、映像表示装置の要部拡大断面図である。
【図４】同上、操作ボタンを示す正面図である。
【図５】同上、操作ボタンを示す側面図である。
【図６】同上、操作ボタンを示す平面図である。
【図７】同上、図４におけるＡ−Ａ線断面図である。
【図８】同上、操作ボタンとスイッチを配設した回路基板とを組み付けこれらを筐体に取り付ける手順を示す説明図である。
【図９】同上、操作ボタンをフロントキャビネットに組み付けた状態を示す断面図である。
【図１０】同上、貫通孔に操作ボタンを挿通しフロントキャビネットとバックキャビネットを組み付ける状態を示す断面図である。
【図１１】従来の液晶映像表示装置を示す断面図である。
【符号の説明】
【００３８】
１  テレビジョン受像機（映像表示装置）
２  筐体
２ａ  フロントキャビネット（キャビネット）
２ｂ  バックキャビネット（キャビネット）
３  貫通孔
１０  操作ボタン
１１  ボタン部（操作部）
１８  ヒンジ部
３０  回路基板
３１  スイッチ
【図１】
2007114566.tif 000003
【図２】
2007114566.tif 000004
【図３】
2007114566.tif 000005
【図４】
2007114566.tif 000006
【図５】
2007114566.tif 000007
【図６】
2007114566.tif 000008
【図７】
2007114566.tif 000009
【図８】
2007114566.tif 000010
【図９】
2007114566.tif 000011
【図１０】
2007114566.tif 000012
【図１１】
2007114566.tif 000013